(57)【要約】【課題】  天然石ビーズを使ったブレスレット及びネックレスにおいて、工具を用いずに、ビーズの入れ替えと足し減らしを可能にして、デザイン変更の幅を広げ、同時に、通常使用時にはビーズの脱落を考慮せずに使用できるようにすることが本発明の課題である。【解決手段】  天然石ビーズに通す中通し部品と、その両端を結合して環状にするために使用する主接合部品の間に、中間接合部品を組み合わせることにより、主接合部品を中通し部品から容易に取り外せるようにすることを特徴とする。中間接合部品には引き輪金具又はクラスプ金具と、ダルマ金具又は丸カンの組み合わせを使用する。これにより、デザインの変更を容易にするとともに、主接合金具を外しても中間接合金具が玉の脱落を防げるようにすることを可能とする。【選択図】  図１
2009160216.tif 000002
【特許請求の範囲】
【請求項１】
天然石ビーズを使ったブレスレット及びネックレスであって、中間接続部品を使用することによって、ビーズの入れ替えや足し減らしが工具を使うことなく可能となるブレスレット及びネックレス。
【発明の詳細な説明】
【技術分野】
【０００１】
本発明は、ビーズの入れ替えに工具を必要としない天然石ビーズブレスレット及びネックレスに関するものである。
【背景技術】
【０００２】
天然石ビーズを使ったブレスレット及びネックレスは、中通し部品として使われるゴム・糸・ワイヤー・鎖の両端を固定的に結合して輪にするか、又は、中通し部品の両端に付けた接合部品を使って開閉可能な輪にする方法によって作られてきた。
【０００３】
このうち、後者、中通し部品の両端に付けた接合部品を使って開閉可能な輪にするかの方法では、中通し部品と接合部品は固定されるため、ビーズに中通し部品を通して接合部品を取り付けて製品化してしまうと、ビーズを交換したり、並びを変えたりする際には、工具を使って、固定された接合部品を取り外す必要があった。
【０００４】
このため、一度固定されたビーズの配置を換えたり石の種類を入れ替えたりすることはされず、一度設定されたデザインは固定されたものとなっていた。
【０００５】
また、接合部品として、クラスプ金具と丸カン、又は、クラスプ金具とダルマ金具、又は、引き輪金具と丸カン、又は、引き輪金具とダルマ金具の組み合わせを使い、それぞれの部品の大きさを天然石ビーズに開けた穴の大きさ以下にした場合には、ビーズの入れ替えは容易になるのであるが、この場合には、接合部品を開いた場合に、ビーズが落ちないようにする部材はなく、ビーズが意図せず落ちてしまう可能性が高くなる。
【発明の開示】
【発明が解決しようとする課題】
【０００６】
天然石ビーズを使ったブレスレット及びネックレスにおいて、ビーズの簡易な入れ替えが予定されていないために、製造時に固定されたデザインの変更は容易にはできず、装飾品に求められる唯一性やオリジナリティは制限されてきた。一般消費者にとって、同じ素材を使いながらビーズの配置順の違う別のデザインのものを必要としたときには、工具を用いて入れ替えを行うか、または、もう一つを購入する必要に迫られてきた。また、使っているうちに、固定されたデザインに飽きてしまうこともあった。
【０００７】
工具を用いずに、ビーズの入れ替えと足し減らしを可能にして、デザイン変更の幅を広げ、同時に、通常使用時にはビーズの脱落を考慮せずに使用できるようにすることが本発明の課題である。
【課題を解決するための手段】
【０００８】
本発明では、主接合部品と中通し部品の間に、中間接合部品を組み合わせることにより、接合部品を中通し部品から容易に取り外せるようにすることによって、デザインの変更を容易にできることを目的とするとともに、主接合金具を外しても中間接合金具が玉の脱落を防げるようにすることを目的とする。
【発明の効果】
【０００９】
本発明を組み込んだ天然石ビーズを使ったブレスレット及びネックレスは、使用者自身の好みによって、種類及び色及び大きさの異なるビーズの配置の入れ替えや新しいビーズの追加、不要なビーズの取り出しが工具を使わずにできるようになり、使用者の好みによるデザイン変更の自由度を高めることができる。
【発明を実施するための最良の形態】
【００１０】
以下、本発明の実施の形態を図面に基づき詳細に説明する。
【００１１】
図１には、中通し部品に鎖を使い、主接合部品に中折れ金具を使い、中間接合部品にクラスプ金具を使った場合を示す。図２には、中通し部品に鎖を使い、主接合部品に引き輪金具とダルマ金具を使い、中間接合部品にクラスプ金具を使った場合を示す。図３には、中通し部品に鎖を使い、主接合部品に引き輪金具とダルマ金具を使い、中間接合部品に引き輪金具を使った場合を示す。図４には、中通し部品にスネークチェーンを使い、主接合部品に中折れ金具を使い、中間接合部品にクラスプ金具とダルマ金具を使った場合を示す。図５には、中通し部品にワイヤーを使い、主接合部品にクラスプ金具とダルマ金具を使い、中間接合部品にクラスプ金具と丸カンを使った場合を示す。図６には、中通し部品にワイヤーを使い、主接合部品に引き輪金具とダルマ金具を使い、中間接合部品に引き輪金具と丸カンを使った場合を示す。
【００１２】
図１乃至図６において、中間接合部品のクラスプ金具と引き輪金具は互いに入れ替えが可能である。主接合部品は、通常、ブレスレット及びネックレスの接合部品として使われるものであって、その種類を問わない。中通し部品の太さは、ビーズの穴を通るものを使用する。
【００１３】
中間接合部品に使うクラスプ金具及び引き輪金具は、ビーズの穴よりも大きくビーズの穴を通過することができない大きさのものを使用する。
【００１４】
中間接合部品に使う丸カン及びダルマ金具は、ビーズの穴よりも小さくビーズの穴を通過することができる大きさのものを使用する。
【００１５】
図１乃至図３において使用する鎖は、輪が連続的に繋がった形状から、丸カンを使用することなく中間接続部品としてのクラスプ金具や引き輪金具を鎖の輪に直接に接続することができるが、このような鎖を使用する場合にも、ビーズの穴の口径より小さく口径を通過することができる大きさの丸カン又はダルマ金具を用いてもよい。
【００１６】
図１乃至図６において、ブレスレット及びネックレスの使用者は、中間接続部品を開けることによって、ビーズは出し入れを行う。使用するビーズの配置が完了した後は、中間接続部品を閉じる。これによって、ビーズの脱落を防ぐことができる。通常の使用時には、手首又は首への装着は、主接続部品を開閉して行う。この際、中間接続部品を開くことはない。ビーズの出し入れ操作を行うとき以外は、中間接続部品は閉じられているためにビーズの脱落はない。
【図面の簡単な説明】
【００１７】
【図１】中通し部品に鎖を使い、主接合部品に中折れ金具を使い、中間接合部品にクラスプ金具を使った場合の説明図である。
【図２】中通し部品に鎖を使い、主接合部品にクラスプ金具とダルマ金具を使い、中間接合部品にクラスプ金具を使った場合の説明図である。
【図３】中通し部品に鎖を使い、主接合部品に引き輪金具とダルマ金具を使い、中間接合部品にクラスプ金具を使った場合の説明図である。
【図４】中通し部品にワイヤーを使い、主接合部品に中折れ金具を使い、中間接合部品にクラスプ金具とダルマ金具を使った場合の説明図である。
【図５】中通し部品にワイヤーを使い、主接合部品にクラスプ金具とダルマ金具を使い、中間接合部品に引き輪金具とダルマ金具を使った場合の説明図である。
【図６】中通し部品にワイヤーを使い、主接合部品に引き輪金具とダルマ金具を使い、中間接合部品に引き輪金具と丸カンを使った場合の説明図である。
【符号の説明】
【００１８】
1  主接続部品としての中折れ金具
2  主接続部品としてのクラスプ金具
3  主接続部品としての引き輪金具
4  主接続部品としてのダルマ金具
5  中間接続部品としてのクラスプ金具
6  中間接続部品としての引き輪金具
7  中間接続部品としてのダルマ金具
8  中間接続部品としての丸カン金具
9  中通し部品としての鎖
10  中通し部品としてのワイヤー
11  中通し部品としてのスネークチェーン
【図１】
2009160216.tif 000003
【図２】
2009160216.tif 000004
【図３】
2009160216.tif 000005
【図４】
2009160216.tif 000006
【図５】
2009160216.tif 000007
【図６】
2009160216.tif 000008